(57)【要約】  位置および加重の両方を検出可能な入力装置において薄型で防水性や防塵性を向上させることができる入力装置として、基材の上に設けられ、複数の検出電極を有する位置検出部と、位置検出部における複数の検出電極の間に設けられ、圧力によって電気抵抗値が変化する加重検出用配線と、を備える入力装置が提供され、かかる入力装置は、複数の検出電極は、互いに交差する方向に延びる第１電極と第２電極とを有し、第１電極は、第１電極と第２電極との交差位置に設けられたブリッジ配線部を有し、加重検出用配線は、ブリッジ配線部と交差するよう設けられていてもよい。
2017038172.tif 000002
【特許請求の範囲】
【請求項１】
基材の上に設けられ、複数の検出電極を有する位置検出部と、
前記位置検出部における前記複数の検出電極の間に設けられ、圧力によって電気抵抗値が変化する加重検出用配線と、
を備えたことを特徴とする入力装置。
【請求項２】
前記加重検出用配線は、前記位置検出部において所定方向に延出するよう設けられた、請求項１記載の入力装置。
【請求項３】
前記加重検出用配線は、所定の間隔で複数設けられた、請求項２記載の入力装置。
【請求項４】
前記複数の検出電極は、互いに交差する方向に延びる第１電極と第２電極とを有し、
前記第１電極は、前記第１電極と前記第２電極との交差位置に設けられたブリッジ配線部を有し、
前記加重検出用配線は、前記ブリッジ配線部と交差するよう設けられた、請求項１〜３のいずれか１項に記載の入力装置。
【請求項５】
前記加重検出用配線の材料は、前記ブリッジ配線部の材料と同じである、請求項４記載の入力装置。
【請求項６】
前記加重検出用配線と前記ブリッジ配線部との間に設けられた島状絶縁部をさらに備えた、請求項４または請求項５に記載の入力装置。
【請求項７】
前記加重検出用配線は、第１配線部と、第２配線部とを有し、
前記基材の上からみた場合、前記ブリッジ配線部の位置において前記ブリッジ配線部の一部と、前記島状絶縁部の一部と、前記第２配線部の一部とが重なり、前記ブリッジ配線部以外の位置において前記第１配線部の一部と前記第２配線部の一部とが重なる、請求項６記載の入力装置。
【請求項８】
加重検出用配線の少なくとも一部は、前記基材の上において前記複数の検出電極と同層に設けられた、請求項１〜７のいずれか１項に記載の入力装置。
【発明の詳細な説明】
【技術分野】
【０００１】
本発明は、入力装置に関し、特に基材の上に位置を検出するための複数の検出電極が設けられた入力装置に関する。
【背景技術】
【０００２】
各種情報処理装置では、カラー液晶表示パネルの前方に透光性の入力装置が配置されている。この入力装置はタッチパネルと称される。タッチパネルでは電極間に静電容量が形成され、人の指が接近したときの電荷の移動の変化から指の接近位置の座標を判定している。この電荷の移動の変化を検出するには、静電容量式センサが用いられる。【０００３】
特許文献１には、互いに交差する複数の配線の交差部分にブリッジ配線を設ける構成が記載されている。この構成では、複数の配線の交差部分に絶縁層を介してブリッジ配線を形成し、互いに交差する複数の配線間の絶縁性を確保している。【０００４】
特許文献２には、タッチ・パッド入力デバイスの一部として力測定システムが設けられた力イメージング・タッチ・パッドが記載されている。この力イメージング・タッチ・パッドは、ばね膜によって分離された導電トレースの第１組と第２組を含む。この力イメージング・タッチ・パッドに力が加えられると、ばね膜が変形し、トレースの２つの組をより近くに移動させる。これにより、相互キャパシタンスが変化して、この変化が、加えられた力の量または強度を示すイメージを生成するのに使用される。
【先行技術文献】
【特許文献】
【０００５】
【特許文献１】特開２０１１−１９１８４７号公報
【特許文献２】特開２００７−２７２８９８号公報
【発明の開示】
【発明が解決しようとする課題】
【０００６】
しかしながら、タッチセンサのような入力装置において接触圧力を検出する手段を備えた構成では、圧力に応じて２つの部材の間隔を変化させるための可動空間が設けられており、このような可動空間によってその厚みの分の薄型化が困難となるとともに、防水性や防塵性の低下を招くという問題が生じる。【０００７】
本発明は、位置および加重の両方を検出可能な入力装置において薄型で防水性や防塵性を向上させることができる入力装置を提供することを目的とする。
【課題を解決するための手段】
【０００８】
上記課題を解決するため、本発明の入力装置は、基材の上に設けられ、複数の検出電極を有する位置検出部と、位置検出部における複数の検出電極の間に設けられ、圧力によって電気抵抗値が変化する加重検出用配線と、を備えたことを特徴とする。このような構成によれば、圧力によって電気抵抗値が変化する加重検出用配線が、位置検出部の複数の検出電極の間に設けられているため、圧力検出のための可動空間を設けることなく、加重検出用配線へ加わる圧力に応じた電気抵抗値の変化によって加重を検出することができるようになる。【０００９】
本発明の入力装置において、加重検出用配線は、位置検出部において所定方向に延出するよう設けられていてもよい。加重検出用配線は、圧力によって電気抵抗値が変化するため、位置検出部の所定方向に延出して長さが長くなるほど加重検出の精度が向上する。【００１０】
本発明の入力装置において、加重検出用配線は、所定の間隔で複数設けられていてもよい。これにより、位置検出部の領域の広い範囲において加重検出を行うことができる。【００１１】
本発明の入力装置において、複数の検出電極は、互いに交差する方向に延びる第１電極と第２電極とを有し、第１電極は、第１電極と第２電極との交差位置に設けられたブリッジ配線部を有し、加重検出用配線は、ブリッジ配線と交差するよう設けられていてもよい。これにより、加重検出用配線のブリッジ配線との交差位置において、ブリッジ配線の出っ張りによる集中的な加圧が行われ、微小な加重であっても加重検出用配線の電気抵抗値の変化を大きくすることができる。【００１２】
本発明の入力装置において、加重検出用配線の材料は、ブリッジ配線の材料と同じであってもよい。これにより、加重検出用配線の製造工程が簡素化される。【００１３】
本発明の入力装置において、加重検出用配線とブリッジ配線との間に設けられた島状絶縁部をさらに備えていてもよい。これにより、加重検出用配線のブリッジ配線との交差位置において、ブリッジ配線の出っ張りおよび島状絶縁部による集中的な加圧が行われ、微小な加重であっても加重検出用配線の電気抵抗値の変化を大きくすることができる。【００１４】
本発明の入力装置において、加重検出用配線は、第１配線部と、第２配線部とを有し、基材の上からみた場合、ブリッジ配線の位置においてブリッジ配線の一部と、島状絶縁層の一部と、第２配線部の一部とが重なり、ブリッジ配線以外の位置において第１配線部の一部と第２配線部の一部とが重なるようになっていてもよい。これにより、加重検出用配線には、ブリッジ配線の出っ張りや、第１配線部と第２配線部との重なり部分において集中的な加圧が行われ、微小な加重であっても加重検出用配線の電気抵抗値の変化を大きくすることができる。【００１５】
本発明の入力装置において、加重検出用配線の少なくとも一部は、基材の上において複数の検出電極と同層に設けられていてもよい。これにより、位置検出部に加重検出用配線を設けても層構造の層数を増加させることなく入力装置を形成することができる。
【発明の効果】
【００１６】
本発明によれば、位置および加重の両方を検出可能な入力装置において加重検出のための可動空間を設ける必要がなく、薄型で防水性や防塵性を向上させることが可能になる。
【図面の簡単な説明】
【００１７】
【図１】（ａ）および（ｂ）は、第１実施形態に係る静電容量式センサを例示する平面図である。
【図２】（ａ）および（ｂ）は、静電容量式センサの一部の断面図である。
【図３】第２実施形態に係る静電容量式センサを例示する平面図である。
【図４】（ａ）および（ｂ）は、静電容量式センサの一部の断面図である。
【図５】（ａ）および（ｂ）は、第３実施形態に係る静電容量式センサを例示する図である。
【図６】（ａ）および（ｂ）は、第４実施形態に係る静電容量式センサを例示する図である。
【発明を実施するための最良の形態】
【００１８】
以下、本発明の実施形態を図面に基づいて説明する。なお、以下の説明では、同一の部材には同一の符号を付し、一度説明した部材については適宜その説明を省略する。【００１９】
（第１実施形態）
図１（ａ）および（ｂ）は、第１実施形態に係る静電容量式センサを例示する平面図である。図１（ａ）には静電容量式センサ１の全体図が表され、図１（ｂ）には図１（ａ）のＡ部の拡大図が表される。本実施形態において、静電容量式センサ１は、入力装置の一例である。【００２０】
図１（ａ）に表したように、本実施形態に係る静電容量式センサ１は、基材１０の位置検出部Ｓに設けられた第１電極１１および第２電極１２を備える。第１電極１１および第２電極１２は位置検出部Ｓ内において指が接触（接近）した位置を検出する検出電極である。【００２１】
第１電極１１は基材１０の表面に沿ったＸ方向に延在し、第２電極１２は基材１０の表面に沿いＸ方向と直交するＹ方向に延在する。第１電極１１および第２電極１２は互い絶縁される。本実施形態では、Ｙ方向に所定のピッチで複数の第１電極１１が配置され、Ｘ方向に所定のピッチで複数の第２電極１２が配置される。【００２２】
第１電極１１は複数の第１島状電極部１１１を有する。本実施形態では、複数の第１島状電極部１１１は菱形に近い形状を有し、Ｘ方向に並んで配置される。また、第２電極１２は複数の第２島状電極部１２１を有する。複数の第２島状電極部１２１も菱形に近い形状を有し、Ｙ方向に並んで配置される。【００２３】
複数の第１電極１１のそれぞれには位置検出部Ｓの外側へ引き出される引き出し配線１１ａが接続される。また、複数の第２電極１２のそれぞれにも位置検出部Ｓの外側へ引き出される引き出し配線１２ａが接続される。静電容量式センサ１では、各引き出し配線１１ａおよび１２ａを流れる電流の変化を図示しない検出回路で検出する。例えば、第１電極１１および第２電極１２に所定の電位を与えた状態で、位置検出部Ｓに指を近づけると、第１電極１１および第２電極１２のそれぞれと指との間に静電容量変化が生じる。この静電容量変化によって生じる電位低下を検出することで、指が接近した位置検出部Ｓ内でのＸ，Ｙ座標を判定する。【００２４】
図１（ｂ）に表したように、第１電極１１と第２電極１２とは、隣り合う２つの第１島状電極部１１１の連結位置と、隣り合う２つの第２島状電極部１２１の連結位置とで交差している。この交差部分に島状絶縁部３０を介してブリッジ配線部２０が設けられ、交差部分において第１電極１１と第２電極１２とが接触しないようになっている。【００２５】
本実施形態において、ブリッジ配線部２０は、隣り合う２つの第２島状電極部１２１の間を跨ぐように設けられる。ブリッジ配線部２０はＹ方向に並ぶ各第２島状電極部１２１の間に設けられる。これにより複数の第２島状電極部１２１が導通状態になる。島状絶縁部３０は、ブリッジ配線部２０と第１電極１１との間に設けられ、交差部分において第１電極１１と第２電極１２とを絶縁する役目を果たす。【００２６】
位置検出部Ｓにおける複数の第１島状電極部１１１および複数の第２島状電極部１２１の間には、加重検出用配線１３が設けられる。加重検出用配線１３は、圧力によって電気抵抗値が変化する配線である。加重検出用配線１３は、菱形の第１島状電極部１１１および第２島状電極部１２１の間に沿ってジグザグに設けられるとともに、全体として例えばＸ方向に延出するよう設けられる。【００２７】
図２（ａ）および（ｂ）は、静電容量式センサの一部の断面図である。図２（ａ）には図１（ｂ）のＹ１−Ｙ１断面が表され、図２（ｂ）には図１（ｂ）のＸ１−Ｘ１断面が表される。【００２８】
基材１０の面１０ａの上には第１電極１１の第１島状電極部１１１および第２電極１２の第２島状電極部１２１が配置される。また、基材１０の面１０ａの上における第１電極１１と第２電極１２との間には、加重検出用配線１３が設けられる。加重検出用配線１３は、基材１０の面１０ａの上、すなわち、第１電極１１の第１島状電極部１１１および第２電極１２の第２島状電極部１２１と同層に設けられる。これにより、加重検出用配線１３を設ける場合でも層数の増加が抑制される。【００２９】
隣り合う第２島状電極部１２１の間には、島状絶縁部３０を介してブリッジ配線部２０が設けられる。第１電極１１、第２電極１２およびブリッジ配線部２０の上には層間弾性部材４０が設けられ、その上に保護部材５０が設けられる。層間弾性部材４０には、例えば光学透明粘着層であるＯＣＡ（Optical Clear Adhesive）が用いられる。層間弾性部材４０は、保護部材５０の上から押圧力が加えられた際に加重検出用配線１３へ適度な圧力を伝える弾性力を備える。【００３０】
このような静電容量式センサ１において、加重検出用配線１３の電気抵抗値は、図示しない検出回路によって検出される。すなわち、保護部材５０の上に指を接触させた状態で所定の圧力を加えると、その圧力が加重検出用配線１３に伝わり、受ける圧力に応じて加重検出用配線１３の電気抵抗値が変化する。この電気抵抗値の変化を図示しない検出回路で検出することにより、加重検出用配線１３に加わる圧力を得ることができる。【００３１】
本実施形態では、第１電極１１および第２電極１２のそれぞれと指との間の容量変化によって指が接近した位置検出部Ｓ内でのＸ，Ｙ座標を判定する。さらに、その指によって位置検出部Ｓを押圧した際の圧力を加重検出用配線１３の電気抵抗値の変化によって検出することができる。したがって、指を接触させた際の位置（Ｘ，Ｙ座標）と、押圧力とを対応付けして得ることができる。【００３２】
このような加重検出用配線１３では、圧力によって電気抵抗値が変化するため、圧力検出のための可動空間を設けることなく、加重検出用配線１３へ加わる圧力に応じた電気抵抗値の変化によって加重を検出することができる。【００３３】
ここで、加重検出用配線１３は、例えばＹ方向に所定の間隔で複数設けられていてもよい。これにより、位置検出部Ｓの領域の広い範囲において加重検出を行うことができる。複数の加重検出用配線１３が所定方向（例えば、Ｘ方向）に所定の間隔で設けられている場合、各加重検出用配線１３の電気抵抗値の変化のバランスによって、Ｙ方向におけるどの位置に最も高い圧力が加わったのかを演算によって求めることができる。例えば、隣り合う２つの加重検出用配線１３にそれぞれ電気抵抗値の変化が生じた場合、２つの電気抵抗値の変化量を比例配分して２つの加重検出用配線１３の間の圧力のピーク位置を求めることができる。【００３４】
また、本実施形態において加重検出用配線１３は、ブリッジ配線部２０と交差する位置に設けられる。これにより、保護部材５０の上から指によって圧力が加わった際、ブリッジ配線部２０の出っ張りによって加重検出用配線１３に集中的な加圧が行われ、微小な加重であっても加重検出用配線１３の電気抵抗値の変化を大きくすることができる。【００３５】
（静電容量式センサの製造方法）
本実施形態に係る静電容量式センサ１を製造するには、先ず、基材１０の面１０ａの上に第１電極１１の第１島状電極部１１１と、第２電極１２の第２島状電極部１２１と、加重検出用配線１３とを形成する。【００３６】
基材１０には、例えばガラスやアクリル樹脂、樹脂シートが用いられる。第１電極１１、第２電極１２および加重検出用配線１３は、フォトリソグラフィおよびエッチングやスクリーン印刷によって形成される。例えば、フォトリソグラフィおよびエッチングで形成する場合、例えばＩＴＯ（Indium Tin Oxide）層をスパッタによって基材１０上に形成し、その上にレジストを形成する。レジストを露光および現像してパターニングした後、ＩＴＯ層をエッチングする。その後、レジストを剥離する。これにより、基材１０上にパターニングされたＩＴＯ層からなる第１電極１１、第２電極１２および加重検出用配線１３が形成される。【００３７】
次に、第１電極１１と第２電極１２との交差位置に島状絶縁部３０を形成する。島状絶縁部３０は、スクリーン印刷、ドライフィルムレジストや液状レジストによって形成される。スクリーン印刷で形成する場合、例えば高い透光性を有する絶縁材料（光学材料）をスクリーン印刷によって塗布し、アニールを施す。ドライフィルムレジストで形成する場合、例えば透光性を有するドライフィルムレジストを貼り付けた後、露光および現像を行う。液状レジストで形成する場合、例えば透光性を有する液状レジストを塗布した後、露光および現像を行う。【００３８】
次に、島状絶縁部３０の上を跨ぐようにブリッジ配線部２０を形成する。ブリッジ配線部２０は、フォトリソグラフィおよびエッチングやスクリーン印刷によって形成される。ブリッジ配線部２０をフォトリソグラフィおよびエッチングで形成する場合、例えばＩＴＯ層、金属層およびＩＴＯ層の積層体をスパッタによって形成し、その上にレジストを形成する。レジストを露光および現像してパターニングした後、積層体をエッチングする。その後、レジストを剥離する。これにより、島状絶縁部３０の上を跨ぎ、両端が隣り合う２つの第２島状電極部１２１と導通するブリッジ配線部２０が形成される。【００３９】
ブリッジ配線部２０をスクリーン印刷によって形成する場合、例えば銀ナノワイヤを含む導電膜を島状絶縁部３０の上にスクリーン印刷する。次いで、銀ナノワイヤの導電膜をアニールおよびロールプレスする。ここではフラッシュランプアニールを行ってもよい。これにより、島状絶縁部３０の上にブリッジ配線部２０が形成される。【００４０】
次に、全面にＯＣＡによる層間弾性部材４０を貼り付け、この層間弾性部材４０の上に保護部材５０を貼り付ける。これにより、静電容量式センサ１が完成する。【００４１】
なお、上記の例では、加重検出用配線１３を第１電極１１および第２電極１２と同じ工程、同じ材料で形成したが、加重検出用配線１３を第１電極１１および第２電極１２と別工程で形成しても、別材料で形成してもよい。この際、加重検出用配線１３の材料を、ブリッジ配線部２０の材料と同じにしてもよい。これにより、加重検出用配線１３の製造工程が簡素化される。【００４２】
（第２実施形態）
図３は、第２実施形態に係る静電容量式センサを例示する平面図である。図３には、図１（ａ）のＡ部に相当する部分の拡大図が表される。
本実施形態に係る静電容量式センサ１Ｂは、第１電極１１と第２電極１２との交差部分において、島状絶縁部３０の上に第１電極１１の連結部１１２および加重検出用配線１３が設けられる。【００４３】
第１電極１１の隣り合う２つの第１島状電極部１１１の間には連結部１１２が設けられる。連結部１１２は、隣り合う２つの第１島状電極部１１１の向かい合う隅部を繋ぐように設けられる。また、第２電極１２の隣り合う２つの第２島状電極部１２１の間にはブリッジ部１２２が設けられる。ブリッジ部１２２は、基材１０上に形成され、隣り合う２つの第２島状電極部１２１の向かい合う隅部の下面を繋ぐように設けられる。【００４４】
第１電極１１と第２電極１２との交差部分において、連結部１１２は島状絶縁部３０を介してブリッジ部１２２と交差するように設けられる。また、第１電極１１と第２電極１２との交差部分において、加重検出用配線１３は島状絶縁部３０を介してブリッジ部１２２と交差するように設けられる。【００４５】
図４（ａ）および（ｂ）は、静電容量式センサの一部の断面図である。図４（ａ）には図３のＹ２−Ｙ２断面が表され、図４（ｂ）には図３のＸ２−Ｘ２断面が表される。【００４６】
基材１０の面１０ａの上には第１電極１１の第１島状電極部１１１および第２電極１２の第２島状電極部１２１が配置される。第１電極１１と第２電極１２との交差部分においては、島状絶縁部３０を介して第１電極１１の連結部１１２と第２電極１２のブリッジ部１２２とが互いに交差するとともに、互いに電気的に絶縁される。【００４７】
島状絶縁部３０は第２電極１２のブリッジ部１２２の上を覆うように設けられ、この島状絶縁部３０の上を跨ぐように第１電極１１の連結部１１２および加重検出用配線１３が設けられる。また、第２島状電極部１２１の端部（隅部）は、島状絶縁部３０から露出したブリッジ部１２２の端部に乗り上げて接続されている。島状絶縁部３０の位置においては、基材１０の面１０ａに対して突出する島状絶縁部３０の上に加重検出用配線１３が設けられるため、保護部材５０の上から指によって圧力が加わった際、島状絶縁部３０の出っ張りによって加重検出用配線１３に集中的な加圧が行われ、微小な加重であっても加重検出用配線１３の電気抵抗値の変化を大きくすることができる。【００４８】
（第３実施形態）
図５（ａ）および（ｂ）は、第３実施形態に係る静電容量式センサを例示する図である。図５（ａ）には、図１（ａ）のＡ部に相当する部分の拡大図が表され、図５（ｂ）には、図５（ａ）のＡ−Ａ線断面図が表される。
本実施形態に係る静電容量式センサ１Ｃでは、島状絶縁部３０の位置において、加重検出用配線１３が分割されている。加重検出用配線１３は、第１配線部１３１と第２配線部１３２とを有する。【００４９】
第２配線部１３２は島状絶縁部３０の下に設けられる。第２配線部１３２は分割された第１配線部１３１の間に設けられる。第２配線部１３２の両端部は、分割された第１配線部１３１のそれぞれの端部と重なる。また、ブリッジ配線部２０は、島状絶縁部３０を介して第２配線部１３２の上を跨ぐように設けられる。【００５０】
すなわち、基材１０の上からみた場合、ブリッジ配線部２０の位置においては、ブリッジ配線部２０の一部と、島状絶縁部３０の一部と、第２配線部１３２の一部とが重なる部分を有する。また、ブリッジ配線部２０以外の位置においては、第１配線部１３１の一部と第２配線部１３２の一部とが重なる部分を有する。ここで、ブリッジ配線部２０は、島状絶縁部３０の窪みの位置（第１配線部１３１と第２配線部１３２とが重ならない位置）に設けられる。これにより、ブリッジ配線部２０の重なる位置での積層の厚さを低減できる。【００５１】
このような構成によれば、加重検出用配線１３には、ブリッジ配線部２０の出っ張りや、第１配線部１３１と第２配線部１３２との重なり部分において集中的な加圧が行われる。つまり、ブリッジ配線部２０の位置においては、保護部材５０の上から印加される押圧力が、ブリッジ配線部２０の一部と第２配線部１３２の一部との重なりによって集中的に加重検出用配線１３に印加される。また、島状絶縁部３０上のブリッジ配線部２０以外の部分においては、島状絶縁部３０の一部、第２配線部１３２の一部および第１配線部１３１の一部との重なりによって集中的に加重検出用配線１３に印加される。これによって、微小な加重であっても加重検出用配線１３の電気抵抗値の変化を大きくすることができる。【００５２】
（第４実施形態）
図６（ａ）および（ｂ）は、第４実施形態に係る静電容量式センサを例示する図である。図６（ａ）には、図１（ａ）のＡ部に相当する部分の拡大図が表され、図６（ｂ）には、図６（ａ）のＢ−Ｂ線断面図が表される。
本実施形態に係る静電容量式センサ１Ｄでは、加重検出用配線１３が分割されている。加重検出用配線１３は、第１配線部１３１と第２配線部１３２とを有する。【００５３】
第１電極１１と第２電極１２との交差部分において、第２電極１２のブリッジ部１２２と、第１電極１１の連結部１１２とが島状絶縁部３０を介して交差するよう設けられる。島状絶縁部３０は、基材１０の面１０ａに設けられた第２電極１２のブリッジ部１２２の上を覆うように設けられる。第２島状電極部１２１は、島状絶縁部３０から露出したブリッジ部１２２の端部に乗り上げて接続されている。この島状絶縁部３０の上を跨ぐように、第１電極１１の連結部１１２が設けられる。加重検出用配線１３の第１配線部１３１は、基材１０の面１０ａから島状絶縁部３０の端部に乗り上げるよう設けられる。加重検出用配線１３の第２配線部１３２は島状絶縁部３０の上に設けられるとともに、第２配線部１３２の端部が、島状絶縁部３０上に設けられた第１配線部１３１の端部と重なって設けられている。【００５４】
すなわち、基材１０の上からみた場合、島状絶縁部３０の位置においては、第２配線部１３２の一部と、島状絶縁部３０の一部と、ブリッジ部１２２の一部とが重なる部分を有する。また、島状絶縁部３０以外の位置においては、第１配線部１３１の一部と第２配線部１３２の一部とが重なる部分を有する。【００５５】
このような構成によれば、加重検出用配線１３には、島状絶縁部３０の出っ張りや、第１配線部１３１と第２配線部１３２との重なり部分において集中的な加圧が行われる。つまり、島状絶縁部３０の位置においては、保護部材５０の上から印加される押圧力が、島状絶縁部３０の一部と第２配線部１３２の一部との重なりによって集中的に加重検出用配線１３に印加される。これによって、微小な加重であっても加重検出用配線１３の電気抵抗値の変化を大きくすることができる。【００５６】
以上説明したように、本実施形態によれば、位置および加重の両方を検出可能な静電容量式センサ１、１Ｂ、１Ｃおよび１Ｄにおいて、加重検出のための可動空間を設ける必要がなく、薄型で防水性や防塵性を向上させることが可能になる。【００５７】
なお、上記に本実施形態を説明したが、本発明はこれらの例に限定されるものではない。例えば、前述の各実施形態に対して、当業者が適宜、構成要素の追加、削除、設計変更を行ったものや、各実施形態の特徴を適宜組み合わせたものも、本発明の要旨を備えている限り、本発明の範囲に包含される。
【符号の説明】
【００５８】
１、１Ｂ、１Ｃ、１Ｄ…静電容量式センサ
１０…基材
１０ａ…面
１１…第１電極
１１ａ…引き出し配線
１２…第２電極
１２ａ…引き出し配線
１３…加重検出用配線
２０…ブリッジ配線部
３０…島状絶縁部
４０…層間弾性部材
５０…保護部材
１１１…第１島状電極部
１１２…連結部
１２１…第２島状電極部
１２２…ブリッジ部
１３１…第１配線部
１３２…第２配線部
Ｓ…位置検出部
【図１】
2017038172.tif 000003
【図２】
2017038172.tif 000004
【図３】
2017038172.tif 000005
【図４】
2017038172.tif 000006
【図５】
2017038172.tif 000007
【図６】
2017038172.tif 000008
【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
基材の上に設けられ、複数の検出電極を有する位置検出部と、
前記位置検出部における前記複数の検出電極の間に設けられ、圧力によって電気抵抗値が変化する加重検出用配線とを備え、
前記複数の検出電極は、互いに交差する方向に延びる第１電極と第２電極とを有し、
前記第１電極は、前記第１電極と前記第２電極との交差位置に設けられたブリッジ配線部を有し、
前記加重検出用配線は、前記ブリッジ配線部と交差するよう設けられたことを特徴とする入力装置。
【請求項２】
前記加重検出用配線は、前記位置検出部において所定方向に延出するよう設けられた、請求項１記載の入力装置。
【請求項３】
前記加重検出用配線は、所定の間隔で複数設けられた、請求項２記載の入力装置。
【請求項４】
（削除）
【請求項５】
前記加重検出用配線の材料は、前記ブリッジ配線部の材料と同じである、請求項１〜３のいずれか１項に記載の入力装置。
【請求項６】
前記加重検出用配線と前記ブリッジ配線部との間に設けられた島状絶縁部をさらに備えた、請求項１〜５のいずれか１項に記載の入力装置。
【請求項７】
前記加重検出用配線は、第１配線部と、第２配線部とを有し、
前記基材の上からみた場合、前記ブリッジ配線部の位置において前記ブリッジ配線部の一部と、前記島状絶縁部の一部と、前記第２配線部の一部とが重なり、前記ブリッジ配線部以外の位置において前記第１配線部の一部と前記第２配線部の一部とが重なる、請求項６記載の入力装置。
【請求項８】
加重検出用配線の少なくとも一部は、前記基材の上において前記複数の検出電極と同層に設けられた、請求項１〜７のいずれか１項に記載の入力装置。
【国際調査報告】
2017038172.tif 000009
2017038172.tif 000010